(57)【特許請求の範囲】
【請求項１】
球入口と球出口とが形成されたケースと、
該ケースに配設された電動式駆動源と、
上記ケースに配設され、上記電動式駆動源の駆動を受けて初期位置から駆動位置へ回動する球送り部材とを有しており、
該球送り部材は、
該球送り部材の上方位置に形成された回動支点としての回動軸部と、
上記初期位置において上記球入口から流入する遊技球を受け取る球受取部と、
上記初期位置において上記回動軸部の下方に位置し、上記駆動位置において上記球受取部から遊技球を受け取り、該遊技球を上記初期位置において上記球出口へ送り出す球送出部と、
上記球受部及び上記球送出部が上側面に形成された下側部材部分と、
該下側部材部分と上記回動軸部とを連結する連結部と、
該連結部において上記電動式駆動源の駆動部と対向する面に設けられ、該駆動部によって駆動される被駆動部とを有しており、
上記電動式駆動源の駆動部は、上記球送り部材の上記被駆動部の側方に対向しており、
上記球送り部材は、上記下側部材部分と上記連結部とによって内部に貫通部を有する環形状に形成されており、かつ、上記初期位置において、上記球入口から、該球入口に対向して配置された上記球受取部に遊技球を受け取り、上記駆動位置において、上記球受取部から上記球送出部に遊技球を移動させ、さらに上記初期位置において、上記球出口へ、該球出口に対向して配置された上記球送出部から遊技球を送り出すよう構成されており、
上記被駆動部は、上記回動軸部の中心と上記球送出部の中心とを結ぶ仮想ラインに対して、所定の距離離れた位置に、平行又は平行に近い傾斜角度で設けられていることを特徴とする遊技機の球送り装置。
【請求項２】
請求項１に記載の遊技機の球送り装置において、上記連結部は、上記回動軸部から上記電動式駆動源の側に向けて横方向に形成された上側連結部と、
該上側連結部と上記下側部材部分とを縦方向に連結し、上記被駆動部が外側面に設けられた中央連結部と、
上記回動軸部と上記下側部材部分とを連結し、上記中央連結部に対向する対向連結部と、を有しており、
上記球送り部材の上記貫通部は、上記下側部材部分、上記上側連結部、上記中央連結部及び上記対向連結部に囲まれて形成されていることを特徴とする遊技機の球送り装置。
【発明の詳細な説明】
【技術分野】
【０００１】
本発明は、遊技球を１球ずつ送り出す、遊技機の球送り装置に関する。
【背景技術】
【０００２】
パチンコ遊技機等の遊技機においては、例えば球皿に貯留された遊技球を１球ずつ球発射装置へ送り出すために、球送り装置が用いられている。球送り装置としては、遊技球を送り出す球送り部材を、電磁ソレノイドの通電及びその遮断を行って回動させるよう構成されている。
例えば、特許文献１のパチンコ機の球送り装置においては、ソレノイドの励磁により揺動して、球供給皿から供給された球を一球ずつ球発射レールに送出する球送り部材が開示されている。この球送り部材には、ソレノイドに吸引される磁性板が嵌着されている。この球送り部材は、その側部に磁性板を有し、その上部に球受け部を有し、その下部に回動軸を有している。そして、ソレノイドの励磁を受けて、磁性板が吸着される力を利用して、回動軸の回りに球送り部材を回動させている。
【先行技術文献】
【特許文献】
【０００３】
【特許文献１】特開２００２−３３１０８０号公報
【発明の概要】
【発明が解決しようとする課題】
【０００４】
しかしながら、特許文献１等の球送り装置においては、球送り部材の球受け部が球送り部材の上部に形成されており、この球受け部には、上方から遊技球が供給される。そのため、球送り装置における球入口を、球送り部材に対する上方に形成する必要があり、球送り装置が縦方向（高さ方向）に大きくなってしまう。
また、従来の一般的な球送り部材においては、ソレノイドに吸引される磁性板は、回動軸から放射状に伸びる方向（径方向）に配置されている。しかし、特に、回動軸に対する下方に球受け部及び球送り部を配置した球送り部材においては、磁性板を、下方に配置された球受け部や球送り部の領域内に配置しないようにする必要がある。これによって、磁性板を上下方向（鉛直方向）に対して所定の角度傾けた状態で配設する必要性が生じる。そして、そのように回動軸から法線方向（径方向）に沿うとともに上下方向に対して斜めに配置された磁性板に対する上方位置に、ソレノイドを、この磁性板に対して垂直方向に沿って配置することとなる。そのため、球送り装置が縦方向（高さ方向、上下方向）に大きくなってしまい、球送り装置の縦方向への小型化を図るためには、球送り部材の形状等に更なる工夫が必要とされる。
【０００５】
本発明は、かかる背景に鑑みてなされたもので、縦方向への小型化を図ることができる遊技機の球送り装置を提供しようとするものである。
【課題を解決するための手段】
【０００６】
本発明は、球入口と球出口とが形成されたケースと、
該ケースに配設された電動式駆動源と、
上記ケースに配設され、上記電動式駆動源の駆動を受けて初期位置から駆動位置へ回動する球送り部材とを有しており、
該球送り部材は、
該球送り部材の上方位置に形成された回動支点としての回動軸部と、
上記初期位置において上記球入口から流入する遊技球を受け取る球受取部と、
上記初期位置において上記回動軸部の下方に位置し、上記駆動位置において上記球受取部から遊技球を受け取り、該遊技球を上記初期位置において上記球出口へ送り出す球送出部と、
上記球受部及び上記球送出部が上側面に形成された下側部材部分と、
該下側部材部分と上記回動軸部とを連結する連結部と、
該連結部において上記電動式駆動源の駆動部と対向する面に設けられ、該駆動部によって駆動される被駆動部とを有しており、
上記電動式駆動源の駆動部は、上記球送り部材の上記被駆動部の側方に対向しており、
上記球送り部材は、上記下側部材部分と上記連結部とによって内部に貫通部を有する環形状に形成されており、かつ、上記初期位置において、上記球入口から、該球入口に対向して配置された上記球受取部に遊技球を受け取り、上記駆動位置において、上記球受取部から上記球送出部に遊技球を移動させ、さらに上記初期位置において、上記球出口へ、該球出口に対向して配置された上記球送出部から遊技球を送り出すよう構成されており、
上記被駆動部は、上記回動軸部の中心と上記球送出部の中心とを結ぶ仮想ラインに対して、所定の距離離れた位置に、平行又は平行に近い傾斜角度で設けられていることを特徴とする遊技機の球送り装置にある（請求項１）。
【発明の効果】
【０００７】
上記遊技機の球送り装置においては、球送り部材の形状と、電動式駆動源によって駆動される被駆動部の配設位置とに工夫を行っている。
具体的には、球送り部材の連結部の形状に工夫を行うことによって、電動式駆動源によって駆動される被駆動部を、回動軸部の中心と球送出部の中心とを結ぶ仮想ラインに対して、所定の距離離れた位置に、平行又は平行に近い傾斜角度で設けている。
【０００８】
これにより、ケースにおいて、電動式駆動源をその駆動部を基点として球送り部材に対する横方向の延長位置に配置することができる。そのため、ケースにおける電動式駆動源の縦方向の配設領域を極力小さくすることができ、球送り装置を縦方向に小型化することができる。
また、連結部における被駆動部の配設位置の工夫により、ケースにおいては、球入口と球出口とを、球送り部材の縦方向及び横方向の可動範囲内に収容させつつ前後の位置に設けることができる。これにより、球入口及び球出口を、球送り部材に対する上下の位置に設ける必要がなく、ケース及び球送り装置の縦方向の小型化を図ることができる。また、これにより、球入口と球出口との上下方向の配置距離を極力小さくすることができる。特に、遊技機において、球送り装置の周辺に位置させる各種機能部材の配置スペースを、上下方向に拡大させることができ、各種機能部材の配置の自由度を向上させることができる。
【０００９】
それ故、上記遊技機の球送り装置によれば、その縦方向への小型化を図ることができる。
【図面の簡単な説明】
【００１０】
【図１】実施例にかかる、遊技機の球送り装置を、球出口の側から見た状態で示す斜視図。
【図２】実施例にかかる、球送り部材が初期位置にある場合の遊技機の球送り装置を、球出口の側から見た状態で示す背面図。
【図３】実施例にかかる、球送り部材が駆動位置にある場合の遊技機の球送り装置を、球出口の側から見た状態で示す背面図。
【図４】実施例にかかる、球送り装置の球送り部材の周辺を上方から見た状態で示す図で、図２のＡ−Ａ断面説明図。
【図５】実施例にかかる、遊技機を示す正面図。
【図６】実施例にかかる、他の球送り部材を有する球送り装置を、球入口の側から見た状態で示す正面図。
【図７】実施例にかかる、不正防止板を設けた球送り装置を、球出口の側から見た状態で示す背面図。
【発明を実施するための形態】
【００１１】
上述した遊技機の球送り装置における好ましい実施の形態につき説明する。
上記遊技機の球送り装置において、上記仮想ラインに対する上記被駆動部の上記平行に近い傾斜角度とは、上記平行な状態に対して例えば１５°以内で傾斜する状態のことをいう。
また、上記球送出部の中心とは、該球送出部に遊技球が配置されたときに、この遊技球の中心が位置する部位のことをいう。
【００１２】
また、上記連結部は、上記回動軸部から上記電動式駆動源の側に向けて形成された上側連結部と、該上側連結部と上記部材部分とを連結する中央連結部とを有しており、上記被駆動部は、上記中央連結部の外側面に設けられており、上記中央連結部において上記外側面と反対側に位置する内側面は、上記球入口から流入する遊技球を上記球受取部に受け取る際のガイド壁として機能するよう構成されていてもよい。
この場合には、ケースにおいて、球送り部材における中央連結部の内側面に対向する位置にガイド壁が形成されない。そのため、遊技機の外部から遊技者等によって与えられる外力によって、球送り部材が不意に振動したとしても、球送り部材の球受取部から球送出部へ遊技球が不意に零れ落ちてしまうことを防止することができる。
【００１３】
また、上記電動式駆動源は、鉄心の回りに配置されたコイルに通電を行って上記駆動部に駆動力としての磁気吸引力を発生させるソレノイドであり、上記被駆動部は、上記駆動部に吸着される金属板であり、該金属板は、その長尺方向が上記初期位置において略鉛直方向に沿って配設してもよい。
この場合には、ソレノイドによって駆動する球送り部材の構造を一層シンプルに構成することができ、球送り装置の縦方向への小型化をより適切に行うことができる。
【実施例】
【００１４】
以下に、遊技機の球送り装置の実施例につき、図面を参照して説明する。
図１は、遊技機５の球送り装置１を、ケース２の後方側ケース部２４を取り外した状態で、球出口２２の側（後方側）から見た状態（背面図）で示す。図２は、球送り部材４が初期位置４０１にある場合を、図１と同じ状態で示し、図３は、球送り部材４が駆動位置４０２にある場合を、図１と同じ状態で示す。
本例の遊技機５の球送り装置１は、図１、図２に示すごとく、球入口２１と球出口２２とが形成されたケース２と、ケース２に配設された電動式駆動源３と、ケース２に配設され、電動式駆動源３の駆動を受けて初期位置４０１（図２参照）から駆動位置４０２（図３参照）へ回動する球送り部材４とを有している。球送り部材４は、回動軸部４１、球受取部４２１、球送出部４２２、連結部４３及び被駆動部４４を有している。
【００１５】
図２に示すごとく、回動軸部４１は、球送り部材４の上方位置に形成された回動支点として機能する。球受取部４２１は、初期位置４０１において球入口２１から流入する遊技球Ｂを受け取る部位として形成されている。図３に示すごとく、球送出部４２２は、回動軸部４１の下方位置に形成され、駆動位置４０２において球受取部４２１から遊技球Ｂを受け取り、この遊技球Ｂを初期位置４０１において球出口２２へ送り出す部位として形成されている。
【００１６】
連結部４３は、球受取部４２１及び球送出部４２２が形成された下側部材部分４２（部材部分４２）と回動軸部４１とを連結する部位として形成されている。被駆動部４４は、連結部４３において電動式駆動源３と対向する面に設けられ、電動式駆動源３によって駆動される部位として形成されている。
そして、被駆動部４４は、回動軸部４１の中心と球送出部４２２の中心（球送出部４２２に配置された遊技球Ｂの中心）とを結ぶ仮想ラインＬに対して、所定の距離離れた位置に、平行に設けられている。
【００１７】
以下に、本例の遊技機５の球送り装置１につき、図１〜図７を参照して詳説する。
図５は、本例の遊技機５を正面から見た状態で示す。
同図に示すごとく、本例の遊技機５はパチンコ遊技機５であり、パチンコ遊技機５の本体枠５１には、液晶モニター等の画像表示装置５３を搭載した遊技盤５２が配設されている。球送り部材４は、遊技機５の下方位置において、左右方向Ｗの中央部分に配設される。本体枠５１の下方位置の前方側には前面パネル６５及び球皿６が配設され、球送り装置（整流器）１は、球皿６の後方に配設される。また、球送り装置１の後方には、本体枠５１に配設した遊技盤５２の遊技領域へ遊技球Ｂを発射させる球発射装置７が配設されている。また、球発射装置７における打球位置には、遊技領域への遊技球Ｂの発射ガイドとなる球発射レール７１が配設されている。
【００１８】
球皿６には、遊技球Ｂを貯留する貯留部６１と、貯留部６１から球送り装置１へ繋がる球供給通路６２とが形成されている。貯留部６１に貯留された遊技球Ｂは、１列状態に整流されながら球供給通路６２へと流下し、該球供給通路６２を通って球送り装置１へ供給され、球送り装置１において１球ずつ整流されて、球発射レール７１の発射球着座部へ送り出される。そして、発射球着座部に着座した遊技球Ｂは、球発射装置７の打球槌によって遊技盤５２の遊技領域へ発射される。
【００１９】
図２に示すごとく、球送り部材４の連結部４３は、回動軸部４１から電動式駆動源３の側に向けて横方向Ｗに形成された上側連結部４３１と、上側連結部４３１の端部から縦方向Ｈに形成された中央連結部４３２とを有している。球送出部４２２が形成された下側部材部分４２は、中央連結部４３２の下端部から横方向Ｗに形成されている。球受取部４２１は、下側部材部分４２において、球送出部４２２に隣接して形成されている。中央連結部４３２は、仮想ラインＬに対して横方向Ｗにオフセットして形成されている（略平行移動した位置に形成されている）。
球送出部４２２と球受取部４２１とは、下側部材部分４２における上側面において、遊技球Ｂを受けて下流側へと流下させる形状に形成されている。回動軸部４１は、上側連結部４３１の先端部に形成されている。球送出部４２２は、下側部材部分４２の先端部に形成されており、球受取部４２１は、下側部材部分４２において中央連結部４３２に近い側に形成されている。
【００２０】
同図に示すごとく、本例の電動式駆動源３は、鉄心の回りに配置されたコイルに通電を行って、駆動部である鉄心端部（出力側端面３１）に駆動力として磁気吸引力を発生させるソレノイド３である。ソレノイド３は、鉄心の軸方向を斜め横方向（水平方向）Ｗに向けてケース２に配設されている。本例のソレノイド３の鉄心は、その軸方向が横方向Ｗに対して１０〜３０°の傾斜角度で配設されている。
球送り部材４が初期位置４０１にある状態において、本例の球送出部４２２の中心は、回動軸部４１の中心の真下に位置している。そして、球送り部材４が初期位置４０１にある状態において、回動軸部４１の中心と球送出部４２２の中心とを結ぶ仮想ラインＬは、鉛直方向に描かれる。
【００２１】
図２に示すごとく、被駆動部４４は、中央連結部４３２の外側面４３３に設けられている。中央連結部４３２において外側面４３３と反対側に位置する内側面４３４は、球入口２１から流入する遊技球Ｂを球受取部４２１に受け取る際のガイド壁として機能するよう構成されている。ここで、内側面４３４は、球受取部４２１の一側壁部としての機能を有しており、球受取部４２１の一部として構成されている。
本例の被駆動部４４は、ソレノイド３に吸着される金属板４４である。球送り部材４が初期位置４０１にある状態において、金属板４４は、その長尺方向が鉛直方向に位置するように連結部４３に配設されている。金属板４４は、その板面がソレノイド３の駆動部である出力側端面３１と対向するように、球送り部材４の連結部４３に設けられている。
【００２２】
同図に示すごとく、本例の球送り部材４は、ソレノイド３が励磁されておらず、金属板４４がソレノイド３に吸着されていないときに、球入口２１から遊技球Ｂを受け取る初期位置４０１にある。なお、球送り部材４は、自重により背面視で反時計方向へと回動付勢されるように構成されている。そして、後述する上側壁２６２の側端部が、球送り部材４の内側面４３４に当接することにより、球送り部材４を初期位置４０１に位置規制するストッパ部材として働く。この初期位置４０１においては、球供給通路６２から球入口２１を介して球送り部材４の球受取部４２１に遊技球Ｂが配置されている。そして、図３に示すごとく、ソレノイド３が励磁されて、金属板４４がソレノイド３に吸着されることによって、球送り部材４が初期位置４０１から駆動位置４０２へ回動し、球送り部材４の球受取部４２１に配置された遊技球Ｂが、球送出部４２２へと落下流下する。次いで、図２に示すごとく、ソレノイド３の励磁状態が解除されて、球送り部材４が自重により再び初期位置４０１へ復帰すると、球送出部４２２が球出口２２に対向し、球送出部４２２に配置された遊技球Ｂが球出口２２へ送り出される。
【００２３】
図４は、球送り装置１の球送り部材４の周辺を上方から見た状態で示す。
同図に示すごとく、本例のケース２は、遊技機５の前方側に配置される前方側ケース部２３と、遊技機５の後方側に配置される後方側ケース部２４とを合わせて構成されている。前方側ケース部２３には、球皿６に形成された球供給通路６２の下流側端部に繋がる球入口２１が形成されており、後方側ケース部２４には、球発射レール７１の発射球着座部に繋がる球出口２２が形成されている。
また、球送り部材４における球送出部４２２の一部４２３は、遊技球Ｂを適切に球発射レール７１の発射球着座部へと流下案内させることを目的として、球出口２２内に挿入されてケース２外へと延出するように、後方側に突出して形成されている。
【００２４】
前方側ケース部２３における球入口２１は、球送り部材４が初期位置４０１にある状態において、球送り部材４の球受取部４２１に対向する位置に形成されている。球送り部材４が初期位置４０１にある状態においては、球皿６の球供給通路６２から球入口２１を介して球受取部４２１へ遊技球Ｂが流入する。この球入口２１から球受取部４２１に流入した遊技球Ｂは、前方側ケース部２３において球送り部材４と対向する内部側に突出して形成された球受壁２６１によって支えられて、球受取部４２１に保持される。
【００２５】
図１に示すごとく、本例の球入口２１の内部側に突出する突出壁２６は、球入口２１の上縁部に形成された上側壁２６２と、この上側壁２６２から続けて、球送り部材４における球送出部４２２側に位置する側縁部に形成された球受壁２６１とによって構成されている。球入口２１の内部側において球送り部材４の中央連結部４３２側に位置する側縁領域２６０には、突出壁２６が形成されていない。そして、球入口２１から流入する遊技球Ｂは、中央連結部４３２における内側面４３４と球受壁２６１とによってガイドされて、球受取部４２１に受け取られる。
【００２６】
球入口２１の内部側において、球送り部材４の中央連結部４３２側に位置する側縁領域２６０に突出壁２６が形成されていないことより、遊技機５の外部から遊技者等によって与えられる外力によって、球送り部材４が不意に振動したとしても、球送り部材４の球受取部４２１から球送出部４２２へ遊技球Ｂが不意に零れ落ちてしまうことを防止することができる。
より具体的に説明すると、仮に、側縁領域２６０に突出壁２６が形成されていた場合には、次のようにして遊技球Ｂが零れ落ちてしまうおそれがある。遊技者等によって与えられる外力を受けて、球送り部材４が初期位置４０１から駆動位置４０２側へと回動するときには、この球送り部材４は、球受取部４２１に遊技球Ｂが載置されたままの状態で回動しようとする。このとき、突出壁２６が、球送り部材４の球受取部４２１に載置された遊技球Ｂに干渉し、球送り部材４のみが回動することになる。その結果、遊技球Ｂが球受取部４２１から球送出部４２２へと落下してしまう不具合が発生する危険性がある。
【００２７】
これに対して、本例のように、突出壁２６が形成されていない構造の場合には、上記外力を受けて、球受取部４２１に遊技球Ｂが載置された状態で球送り部材４が駆動位置４０２側へ回動するときには、球受取部４２１に載置された遊技球Ｂに干渉するものがない。そのため、球受取部４２１に遊技球Ｂが載置されたままの状態で球送り部材４が回動することになり、遊技球Ｂが球受取部４２１から球送出部４２２へ落下してしまうことが防止される。
また、中央連結部４３２側に位置する側縁領域２６０の突出壁２６をなくしたことにより、回動軸部４１と金属板４４との間の距離が、突出壁２６の厚み寸法分だけ短くなる。これにより、回動軸部４１の回りに球送り部材４を回動させる際に必要となる吸引トルクを減少させることができる。そのため、電動式駆動源３としてのソレノイド３の容量を小さくすることができる。
【００２８】
図４に示すごとく、前方側ケース部２３において、球入口２１の前方側に位置する外部側には、球入口２１の外縁部全周をロの字状に囲んで、球供給通路６２から球入口２１へ流入する遊技球Ｂをガイドするガイド突起２７が形成されている。
本例においては、球送り部材４が初期位置４０１に位置するときに、球供給通路６２内の遊技球Ｂから、球受取部４２１に載置された遊技球Ｂに加わる球圧により、駆動位置４０２の方向へ不意に回動しにくくする工夫を行っている。
【００２９】
具体的には、同図に示すごとく、ガイド突起２７の内壁面２７１における横方向Ｗの部位には、外部側（前方側）から内部側（後方側）へ向かうに連れて、球送り部材４の球受取部４２１側から球送出部４２２側へ傾斜するテーパ面が形成されている（同図において、前方側を矢印Ｆによって示す。）。これにより、球供給通路６２内の遊技球Ｂから、球受取部４２１に配置された遊技球Ｂに加わる球圧を、ソレノイド３の配設位置とは反対側へ（球送り部材４を初期位置４０１に維持する方向へ）作用させることができる。これにより、球送り部材４が、初期位置４０１から駆動位置４０２の方向へ不意に回動してしまうことを防止することができる。また、上記テーパ面の形成により、球供給通路６２から流入してくる遊技球Ｂを、球流下における下流側の方向である球送出部４２２側に向けて適切に流下案内させることができる。
【００３０】
上記のごとく、球送り部材４の連結部４３の形状に工夫を行うことによって、ソレノイド３によって駆動される金属板４４を、回動軸部４１の中心と球送出部４２２の中心とを結ぶ仮想ラインＬに対して、所定の距離離れた位置に平行に設けている。これにより、ケース２において、ソレノイド３を球送り部材４に対する横方向Ｗに配設することができる。そのため、ケース２におけるソレノイド３の縦方向Ｈの配設領域を極力小さくすることができ、球送り装置１を縦方向Ｈに小型化することができる。
【００３１】
また、連結部４３における金属板４４の配設位置の工夫により、ケース２においては、球入口２１と球出口２２とを、球送り部材４の縦方向Ｈ及び横方向Ｗの可動範囲に対する前後の位置に設けることができる。これにより、球入口２１及び球出口２２を、球送り部材４に対する上下の位置に設ける必要がなく、ケース２及び球送り装置１の縦方向Ｈの小型化を図ることができる。
【００３２】
それ故、本例の遊技機５の球送り装置１によれば、その縦方向Ｈへの小型化を図ることができる。
【００３３】
上記球送り部材４は、上記上側連結部４３１、中央連結部４３２及び下側部材部分４２を連結したＣ型形状とする以外にも、種々の形状に形成することができる。球送り部材４は、例えば、図６に示すごとく、回動軸部４１と球送出部４２２の先端部とを連結して、内部に貫通部４５が形成された環形状に形成することもできる。ここで、図６は、球送り部材４が初期位置４０１にある場合の球送り装置１を、ケース２の前方側ケース部２３を取り外した状態で、球入口２１の側（前方側）から見た状態で示す。
【００３４】
この場合、球送出部４２２及び球受取部４２１は、貫通部４５における下側部分に形成される。この場合には、球送出部４２２の先端部と回動軸部４１とを連結させる構造により、球送り部材４の強度を向上させることができ、また、球送り部材４を樹脂で成形する際に、球送り部材４に変形やねじれが生じにくくすることができる。
球送り部材４の回動軸部４１の周りには、ケース２と摺動する際の摩擦を低減するための円環状の突起２５が形成されている。この円環状の突起２５には、下側部分において突起形状でなくなった切欠部２５１が形成されている。この切欠部２５１により、摩擦等によってケース２又は球送り部材４の一部が削り取られて、回動軸部４１の周辺に粉が発生したときには、この粉を回動軸部４１の外へと適切に排出することができる。
【００３５】
同図に示すごとく、電動式駆動源３としてのソレノイド３の出力側端面３１には、吸着力を強くするための突起部３２を形成し、被駆動部４４としての金属板４４には、突起部３２が挿入される挿入部４４１を形成することができる。この挿入部４４１は、穴形状、凹形状、切欠形状等とすることができる。
【００３６】
図７は、不正防止板２８を設けた球送り装置１を、ケース２の後方側ケース部２４を取り外した状態で、球出口２２の側（後方側）から見た状態で示す。
同図に示すごとく、球入口２１又は球出口２２の周辺には、遊技の不正を行うために遊技球Ｂに取り付けた不正糸を切断又は引っ掛けることができる不正防止板２８を設けることができる。この不正防止板２８には、不正糸を切るための切断部２８１を形成することができる。この切断部２８１は、不正防止板２８を構成する板金を切り開き、不正糸が引っ掛かって切断可能になるはさみ形状に形成することができる。
【００３７】
なお、電動式駆動源３としてのソレノイド３は、本例のような磁気吸引タイプに限らず、駆動部がピストンとして移動するプランジャタイプのソレノイドを用いてもよい。
この場合には、ソレノイド３の駆動部として形成されたピストンと連結部４３における被駆動部４４とを、連結機構により連結するか、又は係合機構により係合させて、ピストンによって被駆動部４４が回動するように構成すればよい。
また、磁気吸引力により可動（回動）する可動部（金属板）をソレノイド３と一体的に形成し、この可動部を被駆動部４４に連結又は係合させて、球送り部材４を回動させるように構成してもよい。
【００３８】
また、本例の球送り装置１は、球皿にある遊技球Ｂを球発射装置７に向けて供給する、いわゆる整流器に以外にも、種々の用途に用いることができる。球送り装置１は、例えば、遊技球Ｂを１球ずつカウント計数しながら排出する球排出装置等、遊技球Ｂを１球ずつ送り出す機能が必要とされるどのような遊技装置に用いることもできる。
また、本例の球送り装置１は、球発射装置７を遊技領域の上方位置に配設した上部発射方式のパチンコ遊技機に用いることもできる。
また、本例の球送り装置１は、遊技球Ｂを封入する封入式パチンコ遊技機に用いてもよい。
【符号の説明】
【００３９】
１  球送り装置
２  ケース
２１  球入口
２２  球出口
２６  突出壁
２６１  球受壁
２７  ガイド突起
３  電動式駆動源（ソレノイド）
４  球送り部材
４０１  初期位置
４０２  駆動位置
４１  回動軸部
４２  下側部材部分（部材部分）
４２１  球受取部
４２２  球送出部
４３  連結部
４３１  上側連結部
４３２  中央連結部
４４  被駆動部（金属板）
５  遊技機
Ｂ  遊技球
Ｌ  仮想ライン
【図１】
0006055177.tif 000002
【図２】
0006055177.tif 000003
【図３】
0006055177.tif 000004
【図４】
0006055177.tif 000005
【図５】
0006055177.tif 000006
【図６】
0006055177.tif 000007
【図７】
0006055177.tif 000008